【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
コネクタ装置であって、
第１側部と、反対側の第２側部を有するプラグノーズ本体部であって、前記プラグノーズ本体部の前記第１側部は、通信メディアの電気セグメントのコンダクタに電気的に接続されている複数の第１接触子を保持するように構成されており、前記プラグノーズ本体部の前記第２側部はキャビティを画定しているプラグノーズ本体部と、
前記プラグノーズ本体部の前記キャビティ内に位置しているプリント回路基板であって、前記プリント回路基板は、前記通信メディアの電気セグメントに関する情報を格納するように構成されている記憶装置を含み、前記記憶装置は、複数の第２接触子に電気的に接続され、前記第２接触子は、前記格納されている情報が、メディア読取りインタフェースにより前記記憶装置から読まれることを可能にするように構成されているプリント回路基板と、
前記キャビティ内の前記プリント回路基板を囲むプラグカバー部材であって、前記プラグカバーは複数のスロット付き開口部を画定して、前記開口部を通して前記第２接触子が露出されるプラグカバー部材と、を備えることを特徴とするコネクタ装置。
【請求項２】
前記主要信号接触子は、前記プラグハウジングの前端部に配置されていることを特徴とする請求項１に記載のコネクタ装置。
【請求項３】
前記プラグノーズ本体部は、前記プラグノーズ本体部の前記第２側部から突出しているフィンガータブを含み、前記フィンガータブは、コネクタアセンブリにラッチするためのラッチ表面を含むことを特徴とする請求項１または２に記載のコネクタ装置。
【請求項４】
前記プラグカバー部材は、コネクタアセンブリのキー溝に対応するキー部材を画定していることを特徴とする請求項１から３のいずれか１項に記載のコネクタ装置。
【請求項５】
前記プリント回路基板は第１側部と第２側部を画定し、前記第１側部は前記第２接触子を含み、前記第２側部は前記記憶装置を含み、前記第２接触子は前記記憶装置に電気的に結合されていることを特徴とする請求項１から４のいずれか１項に記載のコネクタ装置。
【請求項６】
前記プリント回路基板の前記第２側部は、前記第１側部とは反対側に位置していることを特徴とする請求項５に記載のコネクタ装置。
【請求項７】
ジャックモジュールであって、
前部と、後部と、第１端部と、第２端部と、第１側部と、第２側部と、を有するジャック本体部であって、前記ジャック本体部は、前記ジャック本体部の前記前部からプラグを受け入れるように構成されているソケットを画定し、前記ジャック本体部の前記第２端部は、前記ジャック本体部の前記第２端部を通して前記ソケットへのアクセスを提供する切抜き領域を画定しているジャック本体部と、
前記ジャック本体部内に位置している複数のプラグ接触子であって、前記プラグ接触子の少なくとも部分は、前記ジャック本体部の前記第１端部から前記ソケット内に延伸している複数のプラグ接触子と、
前記ジャック本体部内に位置している複数の終端接触子であって、前記終端接触子は、前記プラグ接触子に電気的に接続され、前記終端接触子は、少なくとも１つの電気メディアセグメントにおいて終端するように構成されている複数の終端接触子と、
前記ジャック本体部に結合されたハウジングであって、プリント回路基板を受け入れるように構成されたチャネルを画定し、第１ハウジング部及び第２ハウジング部を含むハウジングと、
前記第１ハウジング部と前記第２ハウジング部との間で保持された複数の接触子部材であって、前記ハウジングから外側に向けて延伸している第１セクションと前記チャネル内に延伸している第２セクションとを有し、前記第１セクションは、該第１セクションが前記ソケットを通してアクセス可能であるように前記ジャック本体部の前記切抜き領域を通して延伸する、前記プラグ接触子から電気的に絶縁された接触子部材と、を備えることを特徴とするジャックモジュール。
【請求項８】
前記ジャックモジュールは、前記切抜き領域内に位置している少なくとも１つのプラグラッチング部材を含み、各プラグラッチング部材は、カミング表面と肩部を含むことを特徴とする請求項７に記載のジャックモジュール。
【請求項９】
前記ジャック本体部の前記第１端部は、前記ジャック本体部の前記第２端部に対向していることを特徴とする請求項７または８に記載のジャックモジュール。
【請求項１０】
前記ハウジング内に少なくとも部分的には囲まれている短絡ピンであって、前記短絡ピンは、前記接触子部材の少なくとも２つに渡って延伸するように位置しており、前記接触子部材は少なくとも、前記２つの接触子部材が前記短絡ピンに接触する第１位置と、前記２つの接触子部材が前記短絡ピンから間隔を空けて配置されている第２位置の間で撓曲するように構成されている短絡ピンを更に含むことを特徴とする請求項７に記載のジャックモジュール。
【請求項１１】
複数の前記ジャックモジュールと、
パッチパネルであって、
第１側部と第２側部を有するフレーム本体部を含むフレームであって、前記フレーム本体部は、前記フレーム本体部の前記第１および第２側部間で延伸する複数の開口部を画定しているフレームと、
前記フレーム本体部の前記第１側部に搭載されているフェイシャ（ fascia ）本体部を含むフェイシャであって、前記フェイシャ本体部は複数の開口部を画定し、各開口部は、前記フレーム本体部の前記開口部の１つと整列しているフェイシャと、
前記フレーム本体部の前記第２側部に搭載されているシャーシ本体部を含むシャーシであって、前記シャーシ本体部は、前記フレーム本体部の前記開口部に整列する複数の開口部を画定し、前記ジャックモジュールは、前記シャーシ本体部の前記開口部に搭載されているシャーシと、
前記フレームと前記シャーシの間に位置しているプリント回路基板であって、前記プリント回路基板は、前記フレームの前記開口部と略平行に延伸しているプリント回路基板と、
前記プリント回路基板に搭載されている複数のメディア読取りインタフェースであって、各メディア読取りインタフェースは、前記シャーシ本体部に搭載されている前記ジャックモジュールの１つに接続されている複数のメディア読取りインタフェースと、を備えるパッチパネルと、を更に含むことを特徴とする請求項１０に記載のジャックモジュール。
【請求項１２】
少なくとも第１コネクタを含む処理ユニットを更に備え、前記第１コネクタにより、前記処理ユニットは、前記パッチパネルの前記プリント回路基板に接続することを特徴とする請求項１１に記載のジャックモジュール。
【請求項１３】
前記パッチパネルに取り付けられるように構成されているケーブルマネージャを更に備え、前記ケーブルマネージャは、前記処理ユニットを前記プリント回路基板に保持することを支援するように構成されていることを特徴とする請求項１２に記載のジャックモジュール。
【請求項１４】
請求項１から６のいずれか１項に記載の前記コネクタ装置が、請求項１０から１３のいずれか１項に記載の前記ジャックモジュール内に受け入れられたことを判定する方法であって、前記方法は、
前記コネクタ装置の、前記ジャックモジュール内への挿入に先立ち、信号を少なくとも各メディア読取りインタフェースの第１の前記接触子部材に加えることと、
第２の前記接触子部材の１つが、前記第１接触子部材に短絡されたことを判定することと、
前記柔軟接触子部材を前記短絡ピンから遠ざけるように移動することを含んだ、前記コネクタ装置を前記コネクタアセンブリ内に挿入することと、
他の信号を、少なくとも前記第１接触子部材に加えることと、
前記第２接触子部材は、前記第１接触子部材に短絡されていないと判定することと、を備えることを特徴とする方法。
【請求項１５】
請求項１から６のいずれか１項に記載の前記コネクタ装置を製造する方法であって、
第１側部と第２側部を有するプラグ本体部を提供することであって、前記プラグ本体部の前記第１側部は、キー部材とラッチングタブを含み、前記プラグ本体部の前記第２側部は、複数の主要接触子を囲む、プラグ本体部を提供することと、
前記キー部材の前記キャビティ内に記憶装置を搭載することと、
前記キャビティを、カバー部材で閉じることと、を備えることを特徴とする方法。